(57)【特許請求の範囲】
【請求項１】
ケーブルを挿通した管路の管路口を水密封止するものであって、
前記管路口から見て最奥部に配置され、前記管路の内径よりやや小さい外径をし、かつ、前記ケーブルが貫通する貫通孔を有する目板と、
前記目板の管路口端側に配置され、前記管路とケーブル外皮との間に存在する空隙を埋める奥部封止部材と、
前記奥部封止部材よりも管路口端側に配置され、前記管路とケーブル外皮との間に存在する空隙を埋めるシーリング材と、
前記目板に一端を連結し、他端を前記管路口端近傍に終端させた引手とを備え、
前記シーリング材は、前記奥部封止部材の管路口端側に配置された、常温でゼリー状の可塑性シーリング材と、この可塑性シーリング材よりもさらに管路口端側に配置された、常温で粘土状の目地充填材とから成ることを特徴とする管路口の止水装置。
【請求項２】
請求項１に記載の管路口の止水装置において、
前記常温で粘土状の目地充填材を挟むように、前記奥部封止部材側と管路口端側とに、前記管路口とケーブル外皮との間に存在する空隙を塞ぐ一対のシート状パッキングとを配置したことを特徴とする管路口の止水装置。
【請求項３】
請求項１に記載の管路口の止水装置において、
前記奥部封止部材は、柔軟な布状部材を集合して成ることを特徴とする管路口の止水装置。
【請求項４】
請求項１に記載の管路口の止水装置において、
前記引手は、柔軟な紐状部材からなり、その他端は、前記管路口端近傍のシーリング材内部で終端していることを特徴とする管路口の止水装置。
【発明の詳細な説明】
【０００１】
【発明の属する技術分野】
本発明は、ケーブルを布設した管路口の止水装置に関する。
【０００２】
【従来の技術】
ケーブルを地下に布設する場合には、予め地下に埋設した管路にケーブルを挿通する。地下に埋設した管路口には地下水圧により水が浸入する。この地下水が管路口からマンホールに流れ出すのを防止するために管路口の止水装置が使用される（実用新案登録第２５７７６６１号）。この管路口の止水装置では、二成分系の合成樹脂であって使用想定温度範囲でゼリー状に保持されて可塑性を持ち、所定の圧縮弾性を持つ樹脂によって、管路とケーブルとの間の空隙をシールしている。これにより、経年変化の少ないきわめて良好な止水機能が発揮される。
【０００３】
【発明が解決しようとする課題】
ところで、上記のような従来の技術には、次のような解決すべき課題があった。
管路に布設されたケーブルが、点検や引き替え工事の際に管路から撤去されることがある。この場合に、上記のような管路口止水構造部分を完全に解体除去してから、全部あるいは一部のケーブルの撤去や引き替えが行われる。上記のような管路口止水装置は、シーリング材がゼリー状で可塑性を持つため、複雑な解体工具を必用とせず、比較的簡便にその除去作業ができるという特徴を持つ。しかしながら、人の手が入りにくいほど細い管路の奥まで付着したシーリング材を完全に拭き取る作業を短時間で行うことは容易でなく、引き替え工事のコストアップを招くおそれがあった。
【課題を解決するための手段】
本発明は以上の点を解決するため次の構成を採用する。
〈構成１〉
ケーブルを挿通した管路の管路口を水密封止するものであって、上記管路口から見て最奥部に配置され、上記管路の内径よりやや小さい外径をし、かつ、上記ケーブルが貫通する貫通孔を有する目板と、上記目板の管路口端側に配置され、上記管路の内径よりやや小さい外径に組み立てられた奥部封止部材と、上記奥部封止部材よりも管路口端側に配置され、上記管路とケーブル外皮との間に存在する空隙を埋めるシーリング材と、上記目板に一端を連結し、他端を上記管路口端近傍に終端させた引手とを備えたことを特徴とする管路口の止水装置。
【０００４】
〈構成２〉
構成１に記載の管路口の止水装置において、上記奥部封止部材は、柔軟な布状部材を集合して成ることを特徴とする管路口の止水装置。
【０００５】
〈構成３〉
構成１に記載の管路口の止水装置において、上記引手は、柔軟な紐状部材からなり、その他端は、上記管路口端近傍のシーリング材内部で終端していることを特徴とする管路口の止水装置。
【０００６】
〈構成４〉
構成１に記載の管路口の止水装置において、上記シーリング材は、上記奥部封止部材の管路口端側に配置された、常温でゼリー状の可塑性シーリング材と、この可塑性シーリング材よりもさらに管路口端側に配置された、常温で粘土状の目地充填材とから成ることを特徴とする管路口の止水装置。
【０００７】
〈構成５〉
構成４に記載の管路口の止水装置において、上記常温で粘土状の目地充填材を挟むように、上記奥部封止部材側と管路口端側とに、上記管路口とケーブル外皮との間に存在する空隙を塞ぐ一対のシート状パッキングとを配置したことを特徴とする管路口の止水装置。
【０００８】
【発明の実施の形態】
以下、本発明の実施の形態を具体例を用いて説明する。
図１は、本発明の管路口止水装置の具体例を示す縦断面図である。
図において、この管路口止水装置は、ケーブル１を挿通した管路２の管路口を水密封止するものである。管路口は右端で、マンホール等に開口しており、左側の管路２は地下に埋設されている。ケーブル１は１本あるいは複数本を束ねたものである。目板３は、この管路口から見て最奥部（最左端）に配置され、管路２の内径よりやや小さい外径をしている。さらに、ケーブル１が貫通する貫通孔を有する。
【０００９】
目板３の管路口端側には、管路の内径よりやや小さい外径に組み立てられた奥部封止部材４が配置されている。この奥部封止部材４よりも管路口端側には、管路口とケーブル外皮との間に存在する空隙を埋めるためのシーリング材が配置されている。ここでは、管路口から見て最奥部から管路口端に向かって順に、奥部封止部材４と、可塑性シーリング材５、ウレタンフィルタ６、中パッキン７、粘土状シーリング材８、外パッキン９が配置されている。最外側の外パッキン９は、蓋１０に覆われている。蓋１０は、ボルト１２により管路２の端に締め付け固定されている。
【００１０】
上記目板３に一端１１Ａを連結した引手１１は、他端を管路口端近傍に終端させている。この例では、引手１１は紐状体により構成され、粘土状シーリング材８中に他端を丸めて終端させている。目板３の材料は任意であるが、例えばはゴム板あるいはプラスチック板等により構成される。引手１１の材料も任意であり、針金、紐、あるいは棒や鎖状のものでもよい。しかしながら、長期間水分の多い環境に放置されることから、化学繊維等からなることが好ましい。
【００１１】
奥部封止部材４は、可塑性シーリング材５より管路の奥部に配置されている。奥部封止部材４は、例えば、柔軟な布状部材を集合して成ることが好ましい。その素材はなんでもよい。この例では、綿等の繊維を短く裁断したものをフェルト状に織ったマットを使用している。例えば布状のものをケーブルに巻き付けたりまたは隙間に詰め込んだりしながら形成し、管路口とケーブルとの間の空隙を埋める。可塑性シーリング材５を注入すると、可塑性シーリング材はこの奥部封止部材４に染込んで管路の奥まで流れこむことがない。なお、この奥部封止部材４を柔軟な布状部材により構成すれば、目板３を引き出して管路口３を清掃する場合に、ケーブル外周面や管路口内面を傷つけることなく異物を拭き取る機能を果たすという効果もある。
【００１２】
可塑性シーリング材５は、例えば上記従来技術の部分で紹介した実用新案登録第２５７７６６１号に記載された二成分系合成樹脂を使用する。可塑性シーリング剤には、例えば｛商品名：ショウフレキシン（SHOWFLEXIN）昭和電線電纜（株）製｝を使用する。これは特許２８４１２１２号に関わる二成分系合成樹脂である。
【００１３】
この二成分系合成樹脂は、第１の合成樹脂材Ａと、第２の合成樹脂材Ｂとから生成する。第１の合成樹脂材ＡはＮ−メチロールプロペンアミドを主体とし、これにアクリル酸塩モノマー、又はメタクリル酸塩モノマーを配合して成る親水性の線状ポリマー形成成分を水に溶解又は分散させてなる。第２の合成樹脂材Ｂは上記親水性の線状ポリマー形成成分の重合触媒を水に溶解又は分散させてなる。第１の合成樹脂材Ａと第２の合成樹脂材Ｂを等量混合することにより、数分で可塑性シーリング材（二成分系合成樹脂）が生成される。この可塑性シーリング剤は−４０℃〜＋７０℃の温度範囲でもゼリー状に保持される。また、半永久的に可塑性が変化せず、又圧縮弾性に対して１００％の復元力を有し、更に耐薬品性および耐老化性が非常に優れているものである。
【００１４】
故に、この可塑性シーリング剤５は、ケーブル１と管路２の間に生じた隙間を完全に埋めて水密性の壁を作るのに好適する。しかしながら、この可塑性シーリング材５のみでは機械的強度が弱く、高い水圧が加わったとき、複数本束ねられたケーブル１の隙間等から押し出されるおそれがある。そこで、ここではウレタンフィルタ６を用いる。このウレタンフィルタ６は、多数の連続気泡を持つスポンジ状のシートである。この連続気泡中には可塑性シーリング材５が滲み込んでおり、全体として十分に機械的強度の高い水密壁を作る。
【００１５】
中パッキン７と外パッキン９とは、ゴム製のシートである。中パッキン７と外パッキン９の間に、粘土状シーリング材８が挟み込まれる。この粘土状シーリング材８は、常温で粘土状の目地充填材から成る。管路口端側に強度の高い壁を作って可塑性シーリング材５が水圧で押し出されるのを防ぐ機能を持つ。中パッキン７と外パッキン９とは、粘土状シーリング材８の、奥部封止部材側と管路口端側とに配置されて、管路口とケーブル外皮との間に存在する空隙を塞ぐ。粘土状シーリング材８には、例えばネオシール（日東化学工業社の商品名で、合成樹脂性のパテ材）を使用することが好ましい。
【００１６】
常温で粘土状の粘土状シーリング材８を管路口近傍に配置したのは、可塑性シーリング材５に比べて安価で機械的強度が強いためである。これによって上部な止水壁を作り、細部の隙間や系年変化や温度変化により生じた目地充填材とケーブルや管路との隙間をウレタンフィルタ６側から滲み出した可塑性シーリング材５が封止して止水効果を高めている。上記のような構造を採用することにより、熱可塑性シーリング材５のみを使用した場合には、水圧が０・６気圧程度で止水機能が若干低下するが、本発明の止水装置は、水圧が２気圧以上でも十分にそのきのう維持することができた。
【００１７】
図２の（ａ）は管路口の粘土状シーリング材部分の横断面図、（ｂ）は目板部分の分解斜視図である。
図の（ａ）に示すように、ケーブル１と管路２の間の隙間には、図１に示した粘土状シーリング材８が満たされている。管路口止水装置の各部はほぼ同様の断面である。図の（ｂ）に示す目板３は、管路口止水装置を解体する場合に、管路内部を清掃する機能を持つ。目板３は管路の内径よりやや小さい外径とする。管路２の内部に配置して、引手１１を用いて強い抵抗無しに管路口側に引き出せるようにするためである。
【００１８】
このために、目板３には、例えば３本の引手１１の一端１１Ａがその貫通孔３Ｂを貫くようにして固定される。目板３の中央の孔３Ａにはケーブルが挿通される。目板３の管路口端側には、奥部封止部材４が配置されている。両者は一体に固定されていてもよいし、固定されていなくてもよい。引手１１を管路口から引き出すように（図の右方向に）引っ張ると、目板３に押されて、管路２内部の粘土状シーリング材８や可塑性シーリング材５をまとめて掻き出す。さらに管路２の内壁に付着した粘土状シーリング材８や可塑性シーリング材５を拭き取る効果もある。しかも、目板３や奥部封止部材４を柔らかい素材にしておけば、目板３の引き出し時に管路内壁やケーブル１の外皮を傷付けることもない。
【００１９】
引手１１は、このように、止水装置の解体時に図１に示した蓋１０を除去したときにその端部を容易に引き出せるように配置することが好ましい。引手１１の他端１１Ｂを蓋１０の外部に引き出しておくと、解体する必用の無いときに不用意に引手１１が引っ張られるおそれがある。逆に、あまり管路口の奥部でその他端１１Ｂを終端させると引き出し開始時の作業が容易でない。そこで、図１の例では、引手１１の他端１１Ｂを粘土状シーリング材８中で終端させている。
【発明の効果】
以上説明した管路口止水装置は、ケーブルの引き替え工事の際の解体が容易で、特殊な工具を必用としない。即ち、管路口外部に引手を引き出すことにより、管路内部を完全に清掃できる。管路の内径が小さく、あるいはケーブルと管路口との間の隙間が小さくて清掃工具が入らないような場合も心配が無い。しかも、その作業中、ケーブルや管路を傷付ける恐れが無い。さら、管路口の内部の水圧が高くても、高い止水性能を示すという効果がある。
【図面の簡単な説明】
【図１】本発明の管路口止水装置の具体例を示す縦断面図である。
【図２】（ａ）は管路口の粘土状シーリング材部分の横断面図、（ｂ）は目板部分の分解斜視図である。
【符号の説明】
１  ケーブル
２  管路
３  目板
４  奥部封止部材
５  可塑性シーリング材
６  ウレタンフィルタ
７  中パッキン
８  粘土状シーリング材
９  外パッキン
１０  蓋
１１  引手
１２ボルト
【図１】
0004208111.tif 000002
【図２】
0004208111.tif 000003